(57)【要約】【課題】この超音波魚群探知機では、通常の画像（水面から水底まで）を見るために拡大すると、水底からの第ｎ反射波の確認ができなくなり、又、第ｎ反射波の確認ができるようにレンジを広げようとすると、通常の水中の画像が狭くなって見たい箇所が見えなくなるが、第ｎ反射波の有無は水底の底質を判断する上で非常に重要であり、通常の超音波魚群探知機では、常時確認することができないという問題があった。【解決手段】超音波振動子から水中に超音波を照射することによって、水中の超音波の通常の反射波と水底の反射波を通常の画面に表示するとともに、水底の第１〜第ｎ反射波を分離して受信し、その受信した第１〜第ｎ反射波のそれぞれの強度を検出することによって、その強度に応じた表示ブロックを積み上げて表示することにより、通常の表示と第１〜第ｎ反射波の表示ブロックを見ることによって水底の底質を知ることができる。【選択図】　　　　図１
2004093430.tif 000002
【特許請求の範囲】
【請求項１】
超音波振動子と、該超音波振動子に発振出力を印加する発振器と、前記超音波振動子で受信した反射波を増幅する受信器と、該受信器の出力をデジタルに変換するＡ／Ｄ変換部と、該Ａ／Ｄ変換部の出力を記憶する記憶部と、該記憶部から読み出された信号を時間を遅らせて順次通過させるゲート部と、該ゲート部を順次通過した信号を画像信号に変換する画像変換部と、前記ゲート部を通過した第１反射波の強度を検出する第１強度検出部と、該第１強度検出部の出力の強度によって表示ブロックを設定する第１の表示ブロック設定部と、前記ゲート部を通過した第２反射波の強度を検出する第２反射波強度検出部と、該第２強度検出部の出力の強度によって表示ブロックを設定する第２の表示ブロック設定部と、前記ゲート部を通過した第ｎ反射波の強度を検出する第ｎ反射波強度検出部と、該第ｎ強度検出部の出力の強度によって表示ブロックを設定する第ｎ表示ブロック設定部と、前記第１、第２、・・・第ｎ表示ブロック設定部の出力を画像信号にそれぞれ変換する前記画像変換部と、前記画像変換部の出力を表示する表示部とからなり、前記超音波振動子からの超音波信号の送信及び反射波の受信により通常の水中の反射波を前記表示部で表示するとともに、前記第１、第２、・・・第ｎ表示ブロック設定部によってそれぞれ設定されたブロック数を前記表示部の通常の画面の下に表示することにより、水底の底質を表示するようにしたことを特徴とする底質表示魚群探知機。
【発明の詳細な説明】
【０００１】
【発明が属する技術分野】
本発明は、水底の底質を表示するようにした底質表示魚群探知機に関するものである。
【０００２】
【従来の技術】
従来、超音波魚群探知機では、超音波振動子から水中に照射した超音波の反射波を超音波振動子で受信し、この反射波を受信器で増幅してＡ／Ｄ変換器でデジタル信号に変換し、このデジタル信号を一旦記憶装置に記憶し、この記憶装置に記憶された信号を順次読み出して画像信号に変換し、表示装置で表示するようにしている。ところで、水中に発射された超音波パルスは水中の魚や水底で反射して再び超音波振動子に戻ってくる。この時、固い水底で反射された強い反射波は水面で反射市、再び水底に向かって進行して、これを繰り返す。
【０００３】
【発明が解決しようとする課題】
しかしながら、この超音波魚群探知機では、通常の画像（水面から水底まで）を見るために拡大すると、水底からの第ｎ反射波の確認ができなくなり、又、第ｎ反射波の確認ができるようにレンジを広げようとすると、通常の水中の画像が狭くなって見たい箇所が見えなくなるが、第ｎ反射波の有無は水底の底質を判断する上で非常に重要であり、通常の超音波魚群探知機では、常時確認することができないという問題があった。
【０００４】
【課題を解決しようとする手段】
本発明は、超音波振動子と、該超音波振動子に発振出力を印加する発振器と、前記超音波振動子で受信した反射波を増幅する受信器と、該受信器の出力をデジタルに変換するＡ／Ｄ変換部と、該Ａ／Ｄ変換部の出力を記憶する記憶部と、該記憶部から読み出された信号を時間を遅らせて順次通過させるゲート部と、該ゲート部を順次通過した信号を画像信号に変換する画像変換部と、前記ゲート部を通過した第１反射波の強度を検出する第１強度検出部と、該第１強度検出部の出力の強度によって表示ブロックを設定する第１の表示ブロック設定部と、前記ゲート部を通過した第２反射波の強度を検出する第２反射波強度検出部と、該第２強度検出部の出力の強度によって表示ブロックを設定する第２の表示ブロック設定部と、前記ゲート部を通過した第ｎ反射波の強度を検出する第ｎ反射波強度検出部と、該第ｎ強度検出部の出力の強度によって表示ブロックを設定する第ｎ表示ブロック設定部と、前記第１、第２、・・・第ｎ表示ブロック設定部の出力を画像信号にそれぞれ変換する前記画像変換部と、前記画像変換部の出力を表示する表示部とからなり、前記超音波振動子からの超音波信号の送信及び反射波の受信により通常の水中の反射波を前記表示部で表示するとともに、前記第１、第２、・・・第ｎ表示ブロック設定部によってそれぞれ設定されたブロック数を前記表示部の通常の画面の下に表示することにより、水底の底質を表示するようにしたものである。
【０００５】
【発明の実施の形態】
本発明では、超音波振動子から水中に超音波を照射することによって、水中の超音波の通常の反射波と水底の反射波を通常の画面に表示するとともに、水底の第１〜第ｎ反射波を分離して受信し、その受信した第１〜第ｎ反射波のそれぞれの強度を検出することによって、その強度に応じた表示ブロックを積み上げて表示することにより、通常の表示と第１〜第ｎ反射波の表示ブロックを見ることによって水底の底質を知ることができる。
【０００６】
【実施例】
図１は本発明の実施例の底質表示魚群探知機のブロック図で、超音波振動子１は発振部２の出力側と受信部３の入力側に接続され、受信部３の出力はＡ／Ｄ変換部４に入力され、Ａ／Ｄ変換部４の出力は記憶部５に接続され、さらに、記憶部５の出力はゲート部６に入力され、ゲート部６の出力は画像信号変換部７に入力されるとともに、第１反射波強度検出部８１、第２反射波強度検出部８２、・・・、第ｎ反射波強度検出部８ｎに入力され、第１反射波強度検出部８１、第２反射波強度検出部８２、・・・、第ｎ反射波強度検出部８ｎの出力は第１表示ブロック設定部９１、第２表示ブロック設定部９２、・・・、第ｎ表示ブロック設定部９ｎに入力され、第１表示ブロック設定部９１、第２表示ブロック設定部９２、・・・、第ｎ表示ブロック設定部９ｎの出力は画像信号変換部に入力され、画像表示信号変換部でそれぞれ画像信号に変換されて表示部１０で表示され、又、発振部２、受信部３、記憶部５及びゲート部６に制御部１１から制御信号が印加されている。
【０００７】
このように構成された本実施例の底質表示魚群探知機では、超音波振動子１に発振部２から発振出力が印加されると、超音波振動子１から水中に超音波が照射され、水中の浮遊物、水底から超音波の反射波が超音波振動子１に入力され、又、水底から第１反射波、第２反射波、・・・、第ｎ反射波が超音波振動子１に入力されるので、この入力信号は受信器３で増幅され、Ａ／Ｄ変換部４でデジタル信号に変換されて記憶部５で順次記憶される。
【０００８】
記憶部５から読み出された信号は通常の画像表示をするために、図２の表示画面Ａで示すように、水面からの反射波Ａ１、水中の魚群からの反射波Ａ２、水底からの反射波Ａ３がそれぞれ画像信号変換部７で画像信号に変換され、画像信号変換部７から表示部１０に入力され、画像信号Ａ１、Ａ２、Ａ３がそれぞれ表示され、又、水底からの第１反射波はゲート部６から第１反射波強度検出部７１に入力されて強度が検出され、その強度信号は第１表示ブロック設定部９１に入力され、強度信号の強度に応じて表示ブロックが設定され、画像信号変換部７に入力されて表示信号に変換され、画面信号変換部７から表示部１０に入力され、表示部１０で図２の表示画面Ｂに表示ブロックＢ１で表示され、又、水底からの第２反射波はゲート部６から第２反射波強度検出部７２に入力されて強度が検出され、その強度信号が第２表示ブロック設定部９２入力され、強度信号の強度に応じて表示ブロックＢが設定され、画像信号変換部７に入力されて表示信号に変換され、画面信号変換部７から表示部１０に入力され、表示部１０で図２の表示画面Ｂに表示ブロックＢ２で表示され、順次第３反射波、第４反射波・・・が検出され、さらに、水底からの第ｎ反射波がゲート部６から第ｎ反射波強度検出部７ｎに入力されて強度が検出され、その強度信号が第ｎ表示ブロック設定回部９ｎに入力され、強度信号の強度に応じて表示ブロックＢｎが設定され、画像信号変換部７に入力されて表示信号に変換され、画面信号変換部７から表示部１０に入力され、表示部１０で図２の表示画面Ｂに表示ブロックＢｎで表示される。
【０００９】
本発明は、このように、表示画面をＡ、Ｂに分け、表示画面Ａには通常の魚群探知機の表示Ａ１〜Ａ３をするとともに、表示画面Ｂには、水底の第１反射波〜第ｎ反射波の反射強度に応じた表示ブロックＢ１〜Ｂｎを表示することにより、画像を見ただけで水底の底質を判断することができる。
【００１０】
【発明の効果】
以上説明したように、本発明の底質表示魚群探知機は、超音波の通常の反射波と水底の第１反射波を通常の画面に表示するとともに、第１〜第ｎ反射波を分離して受信するようにし、それら受信した第１〜第ｎ反射波のそれぞれの強度に検出することによって、その強度に応じた表示ブロックを積み上げ表示することにより、通常の表示と第１〜第ｎ反射波の表示を見ることによって水底の底質を知ることができるという利点がある。
【図面の簡単な説明】
【図１】本発明の実施例の底質表示魚群探知機のブロック図である。
【図２】図１の底質表示魚群探知機の表示画面を示した図である。
【符号の説明】
１　　　　　　　超音波振動子
２　　　　　　　発振部
３　　　　　　　受信部
４　　　　　　　Ａ／Ｄ変換部
５　　　　　　　記憶部
６　　　　　　　ゲート部
７　　　　　　　画像信号変換部
８１　　　　　　　第１反射波強度検出部
８２　　　　　　　第２反射波強度検出部
８ｎ　　　　　　　第ｎ反射波強度検出部
９１　　　　　　　第１表示ブロック設定部
９２　　　　　　　第２表示ブロック設定部
９ｎ　　　　　　　第ｎ表示ブロック設定部
１０　　　　　　表示部
１１　　　　　　制御部
【図１】
2004093430.tif 000003
【図２】
2004093430.tif 000004